【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
無線周波数の減衰器回路であって、
入力ノード及び出力ノードと、
前記入力ノードと前記出力ノードとの間に直列に配列された第１スイッチ、第１ノード、複数の減衰ブロック、第２ノード、及び第２スイッチを含む減衰経路であって、各減衰ブロックがローカルバイパス経路を含む減衰経路と、
前記入力ノードと前記出力ノードとの間に実装されたグローバルバイパス経路であって、オン又はオフにされて前記減衰経路のスイッチング可能なバイパスを許容するべく構成されたグローバルバイパススイッチングトランジスタを含み、前記グローバルバイパススイッチングトランジスタは、オフのときにグローバルオフ容量を与え、前記減衰経路の前記第１スイッチ及び第２スイッチはそれぞれが、前記グローバルバイパススイッチングトランジスタがオンのときにオフにされ、前記グローバルバイパススイッチングトランジスタがオフのときにオンにされるように構成されるグローバルバイパス経路と、
前記第１ノードと前記第２ノードとの間に実装されたグローバル位相補償回路であって、前記グローバルオフ容量を補償するべく構成されたグローバル位相補償回路と
を含む減衰器回路。
【請求項２】
前記グローバル位相補償回路は、
直列に配列された第１グローバル補償抵抗及び第２グローバル補償抵抗と、
グランドと前記第１グローバル補償抵抗及び第２グローバル補償抵抗間のノードとの間に実装されたグローバル補償容量と
を含む請求項１の減衰器回路。
【請求項３】
前記グローバルバイパススイッチングトランジスタのグローバルオフ容量は位相進み変化をもたらし、
前記グローバル位相補償回路は、前記位相進み変化を補償する位相遅れ変化を与えるべく構成される請求項２の減衰器回路。
【請求項４】
前記グローバル補償容量は、一つ以上のプロセスばらつきにより前記グローバルバイパススイッチングトランジスタと実質的に同じ影響を受けるように構成される請求項２の減衰器回路。
【請求項５】
前記グローバル補償容量はトランジスタ系デバイスとして構成される請求項４の減衰器回路。
【請求項６】
前記グローバル補償容量及び前記グローバルバイパススイッチングトランジスタの各トランジスタ系デバイスはＭＯＳＦＥＴデバイスとして実装される請求項５の減衰器回路。
【請求項７】
前記ローカルバイパス経路はそれぞれが、対応する減衰ブロックに対してローカルバイパスモードにあるときにオンとなり、ローカル減衰モードにあるときにオフとなるように構成されたローカルバイパススイッチングトランジスタを含み、
前記ローカルバイパススイッチングトランジスタは、前記ローカル減衰モードにあるときにローカルオフ容量を与える請求項１の減衰器回路。
【請求項８】
前記複数の減衰ブロックのうち少なくともいくつかはそれぞれが、対応するローカルオフ容量を補償するべく構成されたローカル位相補償回路を含む請求項７の減衰器回路。
【請求項９】
前記減衰ブロックは、
ローカル抵抗と、
前記ローカル抵抗の一端とグランドとの間に実装された第１シャント経路と、
前記ローカル抵抗の他端と前記グランドとの間に実装された第２シャント経路と
を有するπ型減衰器として構成され、
前記第１シャント経路及び第２シャント経路はそれぞれがシャント抵抗を有する請求項８の減衰器回路。
【請求項１０】
前記ローカル位相補償回路は、
第１シャント抵抗に電気的に並列されるように配列された第１ローカル補償容量と、
第２シャント抵抗に電気的に並列されるように配列された第２ローカル補償容量と
を含む請求項９の減衰器回路。
【請求項１１】
前記ローカルバイパススイッチングトランジスタのローカルオフ容量は位相進み変化をもたらし、
前記ローカル位相補償回路は、前記位相進み変化を補償する位相遅れ変化を与えるべく構成される請求項１０の減衰器回路。
【請求項１２】
前記第１ローカル補償容量及び第２ローカル補償容量はそれぞれが、一つ以上のプロセスばらつきにより前記ローカルバイパススイッチングトランジスタと実質的に同じ影響を受けるように構成される請求項１０の減衰器回路。
【請求項１３】
前記第１ローカル補償容量及び第２ローカル補償容量はそれぞれがトランジスタ系デバイスとして構成される請求項１２の減衰器回路。
【請求項１４】
前記第１ローカル補償容量及び第２ローカル補償容量のトランジスタ系デバイスと前記ローカルバイパススイッチングトランジスタとはそれぞれがＭＯＳＦＥＴデバイスとして実装される請求項１３の減衰器回路。
【請求項１５】
前記複数の減衰ブロックの少なくともいくつかは、２進重み付け減衰値を与えるように構成される請求項１の減衰器回路。
【請求項１６】
無線周波数モジュールであって、
複数のコンポーネントを受容するべく構成されたパッケージ基板と、
前記パッケージ基板に実装された無線周波数減衰器回路と
を含み、
前記無線周波数減衰器回路は、
入力ノードと、
出力ノードと、
前記入力ノードと前記出力ノードとの間に直列に配列された第１スイッチ、第１ノード、複数の減衰ブロック、第２ノード、及び第２スイッチを含む減衰経路と
を含み、
各減衰ブロックはローカルバイパス経路を含み、
前記無線周波数減衰器回路はさらに、前記入力ノードと前記出力ノードとの間に実装されたグローバルバイパス経路を含み、
前記無線周波数減衰器回路はさらに、オン又はオフにされて前記減衰経路のスイッチング可能なバイパスを許容するべく構成されたグローバルバイパススイッチングトランジスタを含み、
前記グローバルバイパススイッチングトランジスタは、オフのときにグローバルオフ容量を与え、
前記減衰経路の前記第１スイッチ及び第２スイッチはそれぞれが、前記グローバルバイパススイッチングトランジスタがオンのときにオフにされ、前記グローバルバイパススイッチングトランジスタがオフのときにオンにされるように構成され、
前記無線周波数減衰器回路はさらに、前記第１ノードと前記第２ノードとの間に実装されたグローバル位相補償回路であって、前記グローバルオフ容量を補償するべく構成されたグローバル位相補償回路を含む無線周波数モジュール。
【請求項１７】
前記無線周波数モジュールは、受信した無線周波数信号を処理するべく構成される請求項１６の無線周波数モジュール。
【請求項１８】
無線デバイスであって、
無線周波数信号を受信するべく構成されたアンテナと、
前記アンテナと通信する送受信器と、
前記アンテナと前記送受信器との間の信号経路と、
前記信号経路に沿って実装された無線周波数減衰器回路と
を含み、
前記無線周波数減衰器回路は、
入力ノードと、
出力ノードと、
前記入力ノードと前記出力ノードとの間に直列に配列された第１スイッチ、第１ノード、複数の減衰ブロック、第２ノード、及び第２スイッチを含む減衰経路と
を含み、各減衰ブロックはローカルバイパス経路を含み、
前記無線周波数減衰器回路はさらに、前記入力ノードと前記出力ノードとの間に実装されたグローバルバイパス経路を含み、
前記無線周波数減衰器回路はさらに、オン又はオフにされて前記減衰経路のスイッチング可能なバイパスを許容するべく構成されたグローバルバイパススイッチングトランジスタを含み、
前記グローバルバイパススイッチングトランジスタは、オフのときにグローバルオフ容量を与え、
前記減衰経路の前記第１スイッチ及び第２スイッチはそれぞれが、前記グローバルバイパススイッチングトランジスタがオンのときにオフにされ、前記グローバルバイパススイッチングトランジスタがオフのときにオンにされるように構成され、
前記無線周波数減衰器回路はさらに、前記第１ノードと前記第２ノードとの間に実装されたグローバル位相補償回路であって、前記グローバルオフ容量を補償するべく構成されたグローバル位相補償回路を含む無線デバイス。